(57)【特許請求の範囲】
【請求項１】
中間後分岐により分岐した分岐配線が不必要になった際に、
中間後分岐によりクロージャー内に装着されている、光ケーブルの皮剥ぎした部分、ドロップ光ファイバの余長部分、ドロップ光ファイバの皮剥ぎ部分、融着接続部分、切断された他方側の被覆光ファイバを、それぞれ取り出す工程と、
光ファイバコアの前記融着接続部分は切断せず、ドロップ光ファイバの皮剥ぎ端部近傍で、ドロップ光ファイバ側の被覆光ファイバを切断して、ドロップ光ファイバを取り外す工程と、
前記融着接続部分を有する被覆光ファイバの片端と、前記中間後分岐のとき切断された他方側の被覆光ファイバの片端とを融着接続する工程と、
を含むことを特徴とする下部のばし作業方法。
【発明の詳細な説明】
【０００１】
【発明の属する技術分野】
本発明は、光ケーブルの中間後分岐後の下部のばし作業方法およびそれに使用するクロージャーに関するものである。
【０００２】
【従来の技術】
光ケーブルの幹線が敷設済みの地域で、新規加入者への配線が必要になった場合、光ケーブルの幹線の中間部分で、分岐配線用として、ドロップ光ファイバなどを幹線の光ケーブルに接続する作業が行われる。
中間後分岐工法といわれ、たとえば次のような手順で行われる。
▲１▼  幹線の光ケーブルの分岐を必要とする部分のシースを所定の長さ皮剥ぎする。
▲２▼  幹線の光ケーブルの皮剥ぎされた部分から分岐される所定の被覆光ファイバを引き出し、引き出した被覆光ファイバを中央近傍で切断する。
▲３▼  所定の長さ、外被が皮剥ぎされ、テンションメンバー、および被覆光ファイバが露出されたドロップ光ファイバを、その先端からクロージャー内に引き込み、ドロップ光ファイバのテンションメンバーをクロージャー内の所定の位置に固定する。（光ファイバの融着接続部を外力から保護するため）
▲４▼  幹線の光ケーブルから引き出し、中央近傍で切断した一方側の被覆光ファイバの片端とドロップ光ファイバの被覆光ファイバの片端とを融着接続する。
（融着接続は、接続する２本の被覆光ファイバの端部の被覆を剥いで、光ファイバコアを露出して行う。）
▲５▼  幹線の光ケーブルでシースが皮剥ぎされた部分、切断された他方側の被覆光ファイバで、ドロップ光ファイバと接続しなかった片側部分、および、前記融着接続部分、前記融着接続部分につながるドロップ光ファイバを、それぞれ保護するため、これらをいずれもクロージャーの内部に装着する。
【０００３】
前記の▲４▼の作業、すなわち、融着接続に於いては、光ケーブルの外被の皮剥ぎ際から融着機までの作業長として、被覆光ファイバが少なくとも２０ｃｍ必要である。また、仮に、接続作業を１回失敗して、接続作業をやり直すと、長さ３．５ｃｍの被覆光ファイバのロスを生じる。従って、たとえば、シースの皮剥ぎ長さを５０ｃｍとして、その中央近傍で被覆光ファイバを切断するとすると、片側の長さは２５ｃｍとなり、接続作業のやり直しのための余長は５ｃｍで、接続作業のやり直しは１回しかできないことになる。
【０００４】
【発明が解決しようとする課題】
最近、加入者の変更の頻度が増加してきて、せっかく中間後分岐工法で、分岐配線したにもかかわらず、加入者の契約解除などにより、その分岐配線が不必要になり、分岐配線を切り外し、分岐配線を切り外した光ファイバは、もとの幹線の光ファイバにつなぎなおすといった作業（下部のばし作業という）の頻度が増加してきた。
ところで、分岐配線を取り出す個所は、あらかじめ定まっているわけではなく、それぞれの分岐配線を取り出す個所毎に、分岐配線の接続作業のための余長を、幹線の光ケーブルに持たせておくことはできない。
そのため、分岐配線での接続作業では、通常、余長を充分に取ることは難しい。そして、余長が少ないと、前記の下部のばしの作業は大変やりにくい。
【０００５】
【課題を解決するための手段】
本発明は、上述の問題点を解消することを目的とするもので、下部のばしの作業をやりやすくすることも考慮した中間後分岐した後に、楽にできる下部のばしの作業方法および、それに使用するクロージャーを提供するものであり、中間後分岐工法に於いて、光ケーブルのシースの皮剥ぎ長さを長くすること、分岐用のドロップ光ファイバの方で余分に余長をとること、また、下部のばしの作業に於いて、ドロップ光ファイバを取り除くのに、中間後分岐のときの光ファイバの融着接続部分を切断するのではなく、ドロップ光ファイバの皮剥ぎ端部近傍で被覆光ファイバを切断して、ドロップ光ファイバを取り除くこと、そして、前記シースの皮剥ぎ長さを長くした光ケーブルのシースの皮剥ぎ部分を収容できる長さのスリーブを有するクロージャーを主な特徴とする。
【０００６】
【発明の実施の形態】
本発明に於いては、中間後分岐を、たとえば、次のように実施する。
図１（Ａ）に於いて、光ケーブルのシースの皮剥ぎ部分１３の長さを従来の５０ｃｍより長く、７５ｃｍとして、分岐する被覆光ファイバを取り出し、その中央近傍で被覆光ファイバを切断する。取り出され、切断された被覆光ファイバの長さは、局側１４も、他のループ側１５も、それぞれ、３７．５ｃｍとなる。
これなら、融着接続作業のために最小限必要な２０ｃｍに比べて、１７．５ｃｍの余長があり、若干余裕ができる。
光ケーブルのシースの皮剥ぎ長さは長くすれば、長くするほど、融着接続作業での被覆光ファイバの余長は長く取れるが、融着作業後、光ケーブルのシースの皮剥ぎ部分を収容するために、クロージャーのスリーブの長さも長くする必要が生じる。
クロージャーのスリーブの長さを長くするのは、ある程度はできるが、製造上の問題もあり、実際上、１２０ｃｍぐらいが上限と思われる。
【０００７】
光ケーブルのシースの皮剥ぎ長さを長くすることに加えて、分岐用のドロップ光ファイバの方で余長をとれば、更に余裕ができる。幹線の光ケーブルは敷設済みであり、余長を余分に取ることは難しいが、分岐用のドロップ光ファイバの方は比較的自由度があるので、たとえば余長を５０ｃｍ以上取るということも楽にできる。
そして、図１（Ｂ）に於いて、幹線の光ケーブルからの被覆光ファイバで、局側につながる被覆光ファイバ１４と、ドロップ光ファイバ１７からの被覆光ファイバ１８とを１６の個所で融着接続したあと、ドロップ光ファイバの余長はリング状に丸め、この余長部分１８、光ファイバの融着接続部分１９、光ケーブルのシースを皮剥ぎをした部分１３を、それぞれ、クロージャー内に装着する。また、幹線の光ケーブルからの被覆光ファイバで、融着接続しなかった、他のループにつながる側１５もクロージャー内に装着する。
【０００８】
クロージャーとしては、図２に示したようなクロージャーが使用できる。
すなわち、筒状のスリーブ１であって、上部にヒンジ１２があって、下部のかみあわせ６をはずして縦方向に二つ割れにして、ヒンジ１２を中心にして開くことができる構造を有している。両端には端面板５があり、端面板５には、幹線の光ケーブルを通す穴１０、ドロップ光ファイバを通す穴１１が設けられている。クロージャーに幹線の光ケーブル８を装着するにあたっては、光ケーブルの皮剥ぎしていない部分のシースを掴みしろとして、スリーブ１の内壁に固定されているケーブル把持具７で挟んでクロージャーに固定する。
光ケーブルのシースの皮剥ぎ長さ７５ｃｍの場合、この掴みしろの分も考慮すると、クロージャーのスリーブの長さＬは８０ｃｍ以上は必要である。
なお、光ファイバの融着接続部分はクロージャー内に設けたトレイ３内に収容する。また、クロージャー全体は、支持棒４をクリップで掴み、架空線の吊り線（図示していない）に固定する。
【０００９】
中間後分岐を前記のように実施しておくことにより、分岐配線が不必要になったときに、たとえば、次のような手順で、下部のばし作業が容易に実施できる。
▲１▼  クロージャー内に装着してあった前記光ケーブルのシースを皮剥ぎした部分、ドロップ光ファイバの前記余長部分、ドロップ光ファイバの外被を皮剥ぎした部分、前記光ファイバの融着接続部分、前記切断された他方側の被覆光ファイバを、それぞれ、クロージャーから取り出す。
▲２▼  光ファイバコアの融着接続部分は切断せず、ドロップ光ファイバの皮剥ぎ端部近傍［図１（Ｂ）の１９近傍］で、被覆光ファイバを切断し、ドロップ光ファイバを取り除く。
▲３▼  幹線の光ケーブルから取り出した被覆光ファイバで、中間後分岐のとき切断した他方側であって、他のループにつながる側（図１の１５）の端部と、前記融着接続部分を含む被覆光ファイバの端部と、をあらたに融着接続する。
▲４▼  前記光ケーブルのシースを皮剥ぎした部分、ドロップ光ファイバの前記余長部分、前記融着接続部分、あらたに融着接続した部分を、それぞれ、クロージャー内に装着する。
【００１０】
光ケーブルのシースの皮剥ぎ長さが７５ｃｍの場合、光ケーブルから取り出した被覆光ファイバで、中間後分岐のとき切断した他方側であって、他のループにつながる側の長さは前記の通り、３７．５ｃｍだが、ドロップ光ファイバの側には充分余長を設けて、その分もクロージャー内に装着してあるので、それを取り出して、延ばして活用できるので、上記▲３▼の融着接続の作業時には、充分に余長がとれ、作業が楽にできる。
【００１１】
【発明の効果】
以上に述べた通り、本発明の中間後分岐工法を実施しておけば、分岐配線が不必要になって、下部のばし作業を実施するときに、この作業が非常に楽に実施できる。
【図面の簡単な説明】
【図１】本発明の前提である中間後分岐工法の手順を概念的に示す模式図。
【図２】本発明の前提である中間後分岐工法によって得られる中間後分岐部分の
例を示す。（Ａ）は側面縦断面図、（Ｂ）は平面縦断面図で、（Ｃ）は、クロージャーを（Ａ）のC１―Ｃ２の方向から見た図。
【符号の説明】
１    スリーブ
２    フレーム
３    トレイ
４    支持棒
５    端面板
６    かみあわせ部
７    ケーブル把持具
８    光ケーブル
９    光ケーブルのシースの皮剥ぎ部分
１０  光ケーブル用の穴
１１  ドロップ光ファイバ用の穴
１２  ヒンジ
１３  光ケーブルのシースの皮剥ぎ部分
１４  被覆光ファイバ（局側）
１５  被覆光ファイバ（他のループ側）
１６  融着接続個所
１７  ドロップ光ファイバ
１８  ドロップ光ファイバの外被の皮剥ぎ部分
１９  ドロップ光ファイバ皮剥ぎ端部
【図１】
0003602478.tif 000002
【図２】
0003602478.tif 000003